(57)【要約】【課題】  切り花をダンボール箱に入れたままで長時間水吸に応じられ、そのまま水漏れなく運搬できる出荷用給水箱を提供する。【解決手段】  本発明切り花出荷用箱は、切り花用ダンボール箱１の左右側面に底辺の一部から切り抜いて一対の舌片２を形成すると共に該舌片２を折曲させてバンド挿通孔４，４を形成し、該バンド挿通孔４に臨ませて、ダンボール箱深さの半分程度の高さとした筒状の茎枕３を配設する。該茎枕３と箱１とで区切られた狭い空間側に切り花束の茎を差込んだ水袋６を納めると共に該水袋の口寄り部位を茎枕に載せ、バンド挿通孔を経て箱の底面に迂回させつつバンド５を回周させて緊締することを特徴とする。【選択図】  図１
2005138895.tif 000002
【特許請求の範囲】
【請求項１】
切り花用ダンボール箱の左右側面に底辺の一部から切り抜いて一対の舌片を形成すると共に該舌片を折曲させてバンド挿通孔を形成し、
該バンド挿通孔に臨ませて、ダンボール箱深さの半分程度の高さとした筒状の茎枕を配設し、
該茎枕と箱とで区切られた狭い空間側に切り花束の茎を差込んだ水袋を納めると共に該水袋の口寄り部位を茎枕に載せ、バンド挿通孔を経て箱の底面に迂回させつつバンドを回周させて緊締することを特徴とする切り花出荷用箱。
【請求項２】
茎枕が、ダンボールを四角筒状に折り曲げ、その折り曲コーナーの上面の両側に舌片の長さ程度の切り込みを入れて傾斜片を形成して成る請求項１に記載の切り花出荷用給水箱。
【請求項３】
茎枕が、その両端部上面寄りに若干の幅を有し、茎枕の高さ程度に立ち上がる直立片を設けてなる請求項２に記載の切り花出荷用給水箱。
【請求項４】
茎枕の上面に、茎枕で区切られた狭い空間側に突出する延長台を設けて成る請求項２又は３に記載の切り花出荷用給水箱。
【請求項５】
水袋のバンド締め付け部に添紙を被せて成る請求項１乃至４のうちいずれか一項に記載の切り花出荷用給水箱。
【発明の詳細な説明】
【技術分野】
【０００１】  本発明は、切り花出荷用のダンボール箱の改良に関する。
【背景技術】
【０００２】  従来、通常、切り花は出荷用のダンボール箱に入れて市場に出荷されているが、菊など水吸の少ない花卉は長持ちしても、バラなどの水吸の多い切り花はすぐに萎れてしまい、夏場では約１２時間程度で萎れて商品価値が失われる。
そこで、そのような水吸の多い切り花は、市場に着くとすぐに箱から取り出して、水を入れたバケツに浸けて萎れないように注意して保管し、さらに、場内移動用の専用パレットに載せて展示している。【０００３】  また、市場間で取引がおこなわれる場合には、一旦バケツから箱へ入れ替えて次の市場へ持ち込まれそこでまた同様の場内保管が行われる。
そのように市場でのバケツによる管理作業には大変手間がかかり、管理が面倒で、このことが消費者に低コストで商品を提供できない要因の一つであった。【０００４】  そこで例えば、保水材収納袋に切り花の茎の切口を挿してダンボール箱に収納する手法が提案されているが（特許文献１参照）、この手法では、保水材が高価であると共に、水吸いの多い花には水量的に限界があり、更に、替えて水を入れると箱を横にした時に水漏する虞があった。
【特許文献１】  特開２００１−１６３７０１
【発明の開示】
【発明が解決しようとする課題】
【０００５】  本発明は、上記実情に鑑みてなされたもので、ダンボール箱に入れたままで切り花の水吸に応じられ、且つそのまま箱を横にしても水漏れなく安心して運搬できる切り花出荷用給水箱を提供するものである。
【課題を解決するための手段】
【０００６】  上記課題を解決するために、本発明切り花出荷用箱は、切り花用ダンボール箱の左右側面に底辺の一部から切り抜いて一対の舌片を形成すると共に該舌片を折曲させてバンド挿通孔を形成し、該バンド挿通孔に臨ませて左右に傾斜片を配したダンボール箱深さの半分程度の高さとした筒状の茎枕を配設し、該茎枕と箱とで区切られた狭い空間側に切り花束の茎を差込んだ水袋を納めると共に該水袋の口寄り部位を茎枕に載せ、バンド挿通孔を経て箱の底面に迂回させつつバンドを回周させて緊締することを特徴として構成される。【０００７】  請求項２に記載の発明は、上記構成において、前記茎枕を、ダンボールを四角筒状に折り曲げ形成し、その折り曲コーナーの上面の両側に舌片の長さ程度の切り込みを入れたことを特徴とする。【０００８】  請求項３に記載の発明は、上記構成において、前記茎枕を、その両端部上面寄りに若干の幅を有し、茎枕の高さ程度に立ち上がる直立片を設けたことを特徴とする。【０００９】  請求項４に記載の発明は、上記構成において、前記茎枕の上面に、茎枕で区切られた狭い空間側に突出する延長台を設けたことを特徴とする。【００１０】  請求項５に記載の発明は、上記構成において、前記水袋のバンドの締め付け部に添紙を被せたことを特徴とする。
【発明の効果】
【００１１】  本発明は以上の構成であり、切り花をダンボール箱に入れたままで水吸に応じられ、そのまま傾けても横に寝せても、狭い空間に収納され且つ茎枕上に箱を一周したバンドによって緊締された水袋は水漏れすることがなく、安心して切り花の束を運搬できる。
その荷造りの際にも、水袋の口寄り部位を載せた茎枕とそこに臨ませたバンド挿通孔を介して箱を一周させてバンドを緊締させれば良く、作業が簡便となる。
市場ではその箱に入れたまま蓋を開けてセリに展示でき、次の市場へ移動させる時にもバケツなどに移し替えることなく簡単に移動させることができる。
そして、生産者から市場を経て小売店までの長時間、切り花に水を供給し続けられるようになったので、消費者に切り花を鮮度を落とさずに提供できる。
そしてその間、箱に入れたままで立てておけば良いので、切り花の保管が極めて容易となる。
【発明を実施するための最良の形態】
【００１２】  本発明を実施するための最良の形態について以下詳しく説明する。
本発明は、図１に示すように、長方形の切り花用ダンボール箱１の長手方向一方寄りの底面縁１ａから、その底面縁１ａ部分を切り残しして対向側面１ｂに切り抜きによるキノコ型の舌片２を形成すると共に、該舌片２を折曲させてバンド挿通孔４，４を形成する。
そして、図４及び図５に示すように、該切り花用ダンボール箱１の深さの半分程度の高さを有しその箱の横幅内寸と同長にダンボールで筒状に茎枕３作成する。
そして、図１に示すように、水漏れしない水袋６に切り花束の茎の切り口を挿し込んで、水袋６の口６ａ寄り部位を前記茎枕３に載せる。
そして、該舌片２を折曲させて現れるバンド挿通孔４、４を経て箱の底面を迂回させるＰＰ等を素材としたバンド゛５を掛けて締めて切り花束を固定できるようにする。【００１３】  前記茎枕４については、ダンボールを四角筒状に折り曲げ形成し、その折り曲コーナーの上面の両側に舌片２の長さ程度の切り込み７を入れて傾斜片７ａを形成するのが望ましい。又、該茎枕４の両端部上面寄りに若干の幅を有し、茎枕４の高さ程度に立ち上がる直立片８を設け、更に、該茎枕４の上面に、茎枕３で区切られた狭い空間側に突出する延長台９を設けたものなどの形態が可能である。
上記切り込み７を入れた茎枕４は、切り花束をバンド゛５で固定するときに、バンド゛挿通孔４、４に通して切り込み７まで茎枕４の両端部上面を下に折り曲げて傾斜片７ａを形成し、該傾斜片７ａに重ねるように前記舌片２を箱の内側に倒してバンド゛５が掛けやすくできるとともに、前記茎枕４をダンボール箱１のずれを防止して固定できる。
また上記茎枕４に直立片８を設けると、切り花束を中央に寄せやすくでき、ダンボール箱１が斜めに傾いたとき水袋６の口６ａは直立片８に幅だけ高くなるので水漏れ防止になる。
さらに、前記茎枕４に延長台９を設けると、ダンボール箱１が多少逆さに傾斜しても、図３に示すように水袋６がその延長台９と茎枕４の側面の間に溜まり、水漏れが防止される。【００１４】  また、前記水袋６のバンド゛５締め付け部には添紙１１を被せれば、切り花の茎を痛めず、逆流による水漏れを防ぐことができる。
なお、前記舌片２の先にゴム掛け用の括れ１０を設けると、切り花束を、その輪ゴムで簡易的に固定することができる。
【産業上の利用の可能性】
【００１５】  本発明のダンボール箱は、切り花に用いるものであるが、生花や苗木の出荷用に利用できる可能性もある。
【図面の簡単な説明】
【００１６】
【図１】  本発明の使用状態を示す斜視図である。
【図２】  立てた状態の使用状態を示す縦断側面図である。
【図３】  横にした状態の使用状態を示す縦断側面図である。
【図４】  要部の斜視図である。
【図５】  茎枕の斜視図である。
【符号の説明】
【００１７】  １    ダンボール箱
１ａ  ダンボール箱の底面縁
１ｂ  ダンボール箱の側面
２    舌片
４    バンド゛挿通孔
３    茎枕
５    バンド゛
６    水袋
６ａ  水袋の口
７    切り込み
７ａ  傾斜片
８    直立片
９    延長台
１０    括れ
１１    添紙
【図１】
2005138895.tif 000003
【図２】
2005138895.tif 000004
【図３】
2005138895.tif 000005
【図４】
2005138895.tif 000006
【図５】
2005138895.tif 000007